(57)【要約】      （修正有）【課題】テレビ番組を録画する携帯端末は録画サーバによる録画を最小限にする。【解決手段】テレビ放送システムによって放送されたテレビ番組は、放送番組録画回路１８によって録画される。また、移動通信システムとの間の通信は移動通信回路２０によって行われる。所望のテレビ番組を録画している時間帯に、携帯端末１２はテレビ放送の受信状態を示す受信状態情報を、携帯端末１２とキャリアとの間で周期的に行なわれている通信信号に埋め込んで、録画サーバ１６に対し周期的に送信する。録画サーバ１６は、この受信状態情報を正当に受信できない場合には、その時点でテレビ番組の録画を開始する。【選択図】  図２
2004289372.tif 000002
【特許請求の範囲】
【請求項１】
放送システムから受信した所望コンテンツを記録するコンテンツ記録機能と移動通信システムとの間で通信を行なう移動通信機能とを有する携帯端末において、
前記コンテンツ記録機能による前記所望コンテンツの記録時間帯に前記コンテンツの受信状態に応じて生成された特定信号を前記移動通信機能を利用して特定サーバに周期的に送信する第１送信手段を備え、
前記特定信号は前記特定サーバに正当に受信されなくなった時点で前記特定サーバに前記所望コンテンツの記録を開始させる信号であることを特徴とする、携帯端末。
【請求項２】
前記所望コンテンツの記録の開始に先立って前記所望コンテンツの属性情報を前記特定サーバに送信する第２送信手段をさらに備え、
前記属性情報は特定サーバに前記記録時間帯を認識させることができる、請求項１記載の携帯端末。
【請求項３】
移動モードの設定を受け付ける受付手段、および
前記受付手段を操作することによって設定を受け付けたとき前記第１送信手段を能動化する第１能動手段をさらに備える、請求項１または２記載の携帯端末。
【請求項４】
現在位置を検出する検出手段、
前記検出手段の検出結果に基づいて移動の有無を判別する判別手段、および
前記判別手段の判別結果に応じて前記第１送信手段を能動化する第２能動化手段をさらに備える、請求項１または２記載の携帯端末。
【発明の詳細な説明】
【０００１】
【発明の属する技術分野】
この発明は、携帯端末に関し、特にたとえば、放送システムから受信した所望コンテンツを記録するコンテンツ記録機能と移動通信システムとの間で通信を行なう移動通信機能とを有する、携帯端末に関する。
【０００２】
【従来技術】
従来のこの種の携帯端末の一例が、特許文献１に開示されている。この従来技術では、携帯端末は所望のテレビ番組の録画要求情報を、インターネットを介して録画サーバに送信することにより、所望のテレビ番組を録画サーバに録画させている。
【０００３】
【特許文献１】
特開２００２−１８５９００号公報
【０００４】
【発明が解決しようとする課題】
しかし、従来技術では、携帯端末が録画機能を備えていても、携帯端末による録画とは無関係に、録画要求情報に基づいて録画サーバに所望のテレビ番組全体を録画させる。このため、携帯端末は、テレビ番組の不必要な部分まで録画サーバに録画させる場合があるという問題があった。
【０００５】
それゆえに、この発明の主たる目的は、録画サーバによる録画を必要最小限に抑えることができる、携帯端末を提供することである。
【０００６】
【課題を解決するための手段】
この発明は、放送システムから受信した所望コンテンツを記録するコンテンツ記録機能と移動通信システムとの間で通信を行なう移動通信機能とを有する携帯端末において、コンテンツ記録機能による所望コンテンツの記録時間帯にコンテンツの受信状態に応じて生成された特定信号を移動通信機能を利用して特定サーバに周期的に送信する第１送信手段を備え、特定信号は特定サーバに正当に受信されなくなった時点で特定サーバに所望コンテンツの記録を開始させることができる信号であることを特徴とする携帯端末である。
【０００７】
【作用】
放送システムから受信したコンテンツの記録はコンテンツ記録機能によって行なわれ、移動通信システムとの間の通信は移動通信機能によって行われる。コンテンツ記録機能によって所望のコンテンツを記録している時間帯に、コンテンツの受信状態に応じて生成された特定信号を、第１送信手段が移動通信機能を利用して特定サーバに周期的に送信する。この特定信号は、特定サーバに正当に受信されなくなると、その時点で特定サーバに所望のコンテンツの記録を開始させることができる信号である。この場合、特定サーバが特定信号を正当に受信できなくなった時点から、携帯端末は特定サーバに所望のコンテンツの記録を開始させるので、所望コンテンツのうち携帯端末に良好に記録できなかった部分のみを記録させることができる。
【０００８】
携帯端末は、所望コンテンツの記録を開始する前に、第２送信手段によってコンテンツの属性情報を特定サーバに送信する。この属性情報は特定サーバに携帯端末の記録時間帯を認識させることができる情報である。この場合、特定サーバにコンテンツの属性情報が与えられるので、特定サーバは第１送信手段による特定信号とこの特定情報に基づいてコンテンツの記録を開始する。
【０００９】
この携帯端末は、移動モードの設定を受け付ける受付手段と第１能動化手段を備え、この受付手段を操作して移動モードの設定を受け付けると、第１能動化手段によって第１送信手段が能動化される。この場合、第１送信手段が能動化されると、所望コンテンツの記録時間帯に、携帯端末は特定信号を特定サーバに周期的に送信することができる。
【００１０】
この携帯端末は、検出手段によって現在位置を検出し、この検出結果に基づいて判別手段により携帯端末が移動しているかどうかを判別する。この判別結果に応じて、第２能動化手段により第１送信手段が能動化される。この場合、携帯端末が移動中であるかどうかを自動的に判別して、所望コンテンツの記録時間帯に、携帯端末は特定信号を特定サーバに周期的に送信することができる。
【００１１】
【発明の効果】
この発明によれば、コンテンツを録画している携帯端末は、所望コンテンツの受信状態に応じて、コンテンツの録画を携帯端末から特定サーバに切り換えるので、特定サーバによるコンテンツの記録を必要最小限にすることができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例である代理録画システム１０は、携帯端末１２と、基地局１４と、録画サーバ１６とを含む。
【００１４】
携帯端末１２は、移動を開始する前に、地上波テレビ放送（以下「テレビ放送」または「放送」という）によって提供されるテレビ番組の属性情報が入力されると、入力された属性情報を、基地局１４を通してキャリア側に設置された録画サーバ１６にメールで送信する。そして、テレビ番組の放送が開始されると、移動中の携帯端末１２はテレビ番組の録画を開始するとともに、携帯端末１２がキャリアと定期的に通信する通信信号を利用して録画サーバ１６に対して所定時間ごとにテレビ放送の受信状態を示す受信状態情報を送信する。
【００１５】
録画サーバ１６は、携帯端末１２から属性情報を受信すると、その情報を保存する。そして、テレビ番組の放送が開始されると、携帯端末１２から所定時間ごとに送信されてくる通信信号に埋め込まれた受信状態情報を検出する。録画サーバ１６は、受信した受信状態情報から、携帯端末１２の受信状態が悪いため映像の画質も悪くなっていると判断した場合には、携帯端末１２が録画しているテレビ番組の代理録画を開始する。
【００１６】
また、録画サーバ１６は、携帯端末１２からの受信状態情報を所定時間受信できない場合にも、携帯端末１２はテレビ放送を受信できない状態になっていると判断して、携帯端末１２で録画していたテレビ番組の代理録画を開始する。
【００１７】
このように、携帯端末１２が録画サーバ１６と通信する電波は、携帯端末１２が受信するテレビ放送の電波と同程度に障害物などの影響を受ける。このため、この実施例では、携帯端末１２が録画サーバ１６と通信できなくなったとき、携帯端末１２はテレビ放送を良好な受信状態で受信できなくなっていると仮定している。
【００１８】
図２を参照して、携帯端末１２は、移動通信システムを用いて移動通信を行なう移動通信回路２０と、テレビ放送システムを用いて放送されたテレビ番組を受信する放送番組録画回路１８と、移動通信回路２０および放送番組録画回路１８の両方を制御するＣＰＵ４０とを含む。
【００１９】
操作パネル４４によってダイヤル操作が行われると、ＣＰＵ４０は、移動通信回路２０に設けられた無線回路２４に対して発呼処理を行なうことを命令する。この発呼処理によって相手方との接続が確立されると、通話可能状態になる。
【００２０】
また、無線回路２４がアンテナを通して発呼信号を受信すると、無線回路２４はＣＰＵ４０に対して電話着信を通知する。ＣＰＵ４０は、電話着信が通知されると、呼び出し音信号の発生を放送番組録画回路１８に設けられたサウンドジェネレータ７８に命令するとともに、呼び出しメッセージをあらわすキャラクタ信号の発生を放送番組録画回路１８に設けられたキャラクタジェネレータ７０に命令する。これによって、呼び出し音がスピーカ８０から出力されるとともに、呼び出しメッセージがモニタ７２から出力される。呼び出し音および呼び出しメッセージの出力を受けて、操作パネル４４により着信操作が行われると、相手方との接続が確立されて、通話可能状態となる。
【００２１】
通話可能状態になると、マイク３６からの音声信号がアンプ３４によって増幅され、さらにＡＤ／ＤＡ変換回路２８によってデジタル信号である音声データに変換される。変換された音声データは、信号処理回路２６によってパケットデータつまり音声パケットに符号化され、符号化された音声パケットは無線回路２４によって変調される。変調された音声パケットは、アンテナ２２を通して相手方に発信される。
【００２２】
一方、相手方から送られてきたパケットは、アンテナ２２によって受信され、無線回路２４によって復調される。復調された音声パケットは信号処理回路２６によって音声データに復号され、復号された音声データは、ＡＤ／ＤＡ変換回路２８によってアナログ信号である音声信号に変換される。変換された音声信号は、アンプ３０を介してスピーカ３２から出力される。
【００２３】
また、携帯端末１２が通話可能状態にないときでも、ＣＰＵ４０は無線回路２４に対して、キャリアの基地局にキャリア独自の通信形式で定期的に通信信号を送信するよう命令する。ＣＰＵ４０は、この通信信号に後で説明するチューナ５２から取得したテレビ放送の受信状態を示す情報（受信状態情報）を埋め込み、基地局を通して録画サーバ１６に送信する。この受信状態情報は、テレビ放送の受信状態によって、“良好”、“普通”、“不良”の３種類の状態のいずれかの状態を示す情報である。
【００２４】
操作パネル４４によってメールが作成されて発信操作が行われると、ＣＰＵ４０はあて先のメールボックスを管理するサイトへの接続を無線回路２４に命令するとともに、作成されたメールデータの符号化を信号処理回路２６に命令する。作成されたメールデータは、信号処理回路２６によってパケットデータつまりメールパケットに変換され、変換されたメールパケットは無線回路２４およびアンテナ２２を通して所望のサイトに送信される。
【００２５】
自分のメールボックスにメールパケットが存在すれば、このメールパケットはアンテナ２２を通して受信される。受信されたメールパケットは、無線回路２４によって復調され、信号処理回路２６によって復号される。ＣＰＵ４０は、無線回路２４からのメール着信通知に応答して、信号処理回路２６によって復号されたメールデータをメモリ４６に保存し、メールデータの着信を表すキャラクタ信号の出力をキャラクタジェネレータ７０に命令する。この結果、メールの受信を示すアイコンがモニタ７２に表示される。
【００２６】
操作パネル４４の移動モードスイッチ４４ａが押されると、携帯端末１２は移動モードとなる。次に、操作パネル４４を操作して属性情報を入力して録画予約スイッチ４４ｂを押すと、ＣＰＵ４０は、属性情報をメモリ４６に保存するとともに、入力されたテレビ番組の属性情報に基づいてメールパケットを作成する。そして、あらかじめメモリ４６に保存されている録画サーバ１６のアドレスを呼び出して、作成したメールパケットを送信する。ここで、属性情報には、テレビ番組の放送時間帯、放送チャネルなどの情報が含まれる。
【００２７】
また、録画サーバ１６で代理録画された録画データは、メールに添付されて携帯端末１２に送信される。送信された録画データは、映像パケットおよび音声パケットからなるパケットデータである。このパケットデータは、アンテナ２２を通して無線回路２４に与えられて復調される。復調されたパケットデータは、後で説明するデマルチプレクサ５８、メモリカードコントローラ６０を通してメモリカード６２に保存される。
【００２８】
また、この携帯端末１２を用いてテレビ番組を録画する場合について説明する。ＣＰＵ４０は、放送番組録画回路１８を起動するとともに、チャネルの選択をチューナ５２に命令する。チューナ５２は、アンテナ５０によって受信したテレビ放送の高周波信号から所望のチャネルの高周波信号を抽出し、かつ抽出した高周波信号にＭＰＥＧフォーマットに従う復調処理を施す。これによって、所望のチャネルのデジタル放送データがチューナ５２から出力される。出力されたデジタル放送データは、バッファメモリ５４を介してデマルチプレクサ５８に与えられる。
【００２９】
デマルチプレクサ５８は、与えられたデジタル放送データから音声パケットおよび映像パケットを抽出し、メモリカードコントローラ６０に与える。メモリカードコントローラ６０は、デマルチプレクサ５８から音声パケットおよび映像パケットを受け取り、メモリカード６２に記録する。このようにして、携帯端末１２はテレビ番組の映像と音声を記録する。
【００３０】
次に、メモリカードに記録されたテレビ番組を再生する場合について説明する。メモリカードコントローラ６０は、メモリカード６２から音声パケットおよび映像パケットを読出し、ＡＶセレクタ６４に与える。
【００３１】
ＡＶセレクタ６４は、抽出された音声パケットおよび映像パケットをＭＰＥＧ２−ＡＡＣオーディオデコーダ７４およびＭＰＥＧ４ビデオデコーダ６６にそれぞれ与える。
【００３２】
ＭＰＥＧ２−ＡＡＣオーディオエンコーダ７４は、与えられた音声パケットをデコードして音声データを生成する。生成された音声データは、Ｄ／Ａ変換器７６によってアナログ信号である音声信号に変換され、変換された音声信号はスピーカ８０に与えられる。この結果、所望のチャネルで放送されるテレビ番組の音声がスピーカ８０から出力される。
【００３３】
ＭＰＥＧ４ビデオデコーダ６６は、与えられた映像パケットをデコードして映像データを作成し、生成した映像データをＮＴＳＣエンコーダ６８に与える。この映像データは、ＮＴＳＣエンコーダ６８によってコンポジット映像信号に変換され、変換されたコンポジット映像信号はモニタ７２に出力される。この結果、所望のチャネルで放送されるテレビ番組の映像が、モニタ７２の画面に表示される。
【００３４】
次に、この携帯端末１２でテレビ番組を直接視聴する場合について説明する。録画する場合の動作で詳細に説明したように、チューナ５２から出力される所望のチャネルのデジタル放送データから、デマルチプレクサ５８によって音声パケットおよび映像パケットを抽出し、抽出した音声パケットおよび映像パケットをＡＶセレクタ６４に与える。そして、再生する場合の動作で詳細に説明したように、音声パケットおよび映像パケットをＭＰＥＧ２−ＡＡＣオーディオデコーダ７４およびＭＰＥＧ４ビデオデコーダ６６にそれぞれ与えると、スピーカ８０およびモニタ７２から音声および映像がそれぞれ出力される。
【００３５】
ＣＰＵ４０は、マルチタスクＯＳを搭載したマルチタスクＣＰＵであり、ＣＰＵ４０には操作パネル４４以外にも、メモリ４６および時計４２が接続されている。メモリ４６は、操作パネル４４から入力された属性情報を保存する。また、時計４２からの時刻情報とメモリ４６からの属性情報に基づいて、ＣＰＵ４０はテレビ番組の録画を開始したり、録画を終了したりする。また、テレビ番組の放送が開始されると、録画サーバ１６に対して所定の時間間隔で受信状態情報を送信する。
【００３６】
次に、図３を参照して、録画サーバ１６は基地局を介してキャリア側に設置されており、無線回路８４を含む。無線回路８４は、携帯端末１２から送信された属性情報を含むメールが基地局および通信コネクタ８２を通して与えられると、復調して情報処理回路８６に与える。情報処理回路８６は、このメールから属性情報を読み出して、メモリ９６に保存する。
【００３７】
また、ＣＰＵ９２は、携帯端末１２からの受信状態情報が埋め込まれた通信信号が無線回路８４を通して情報処理回路８６に与えられると、受信状態情報を抽出し、携帯端末１２のテレビ放送の受信状態を判断する。そして、受信状態情報が“良好”または“普通”のとき、ＣＰＵ９２は、携帯端末１２がテレビ放送を良好な状態で受信して録画していると判断し、ＨＤＤ９８を介してハードディスク１００に対して代理録画の命令はしない。
【００３８】
しかし、受信状態情報が“不良”の場合、ＣＰＵ９２は、携帯端末１２がテレビ放送を良好な状態で受信していないので録画している映像の画質も悪いと判断する。そして、ＣＰＵ９２はメモリ９６に保存されている属性情報を呼び出し、その判断をしたときからテレビ番組を、ＨＤＤ９８を介してハードディスク１００に代理録画をさせる。なお、携帯端末１２がテレビ放送を全く受信できない場合も、受信状態情報は“不良”となる。
【００３９】
また、テレビ番組の放送開始後に所定の時間間隔で携帯端末１２からの受信状態情報を録画サーバ１６が受信しないときも、ＣＰＵ９２は、携帯端末１２がテレビ放送を受信できず、録画も中断していると判断する。そして、受信状態情報が“不良”の場合と同様に、その判断をしたときからテレビ番組を、ＨＤＤ９８を介してハードディスク１００に代理録画させる。
【００４０】
ここで、テレビ番組の放送時間帯、所定の時間間隔は、ＣＰＵ９２に接続された時計９４からの時刻情報とメモリ９６に保存された属性情報に基づいてＣＰＵ９２が判断する。
【００４１】
図４を参照して、携帯端末１２は、操作パネル４４の移動モードスイッチ４４ａが押されると移動モードになり、移動モード信号を録画サーバ１６に送信する。移動モード信号を受信した録画サーバ１６も、同様に移動モードになる。
【００４２】
次に、操作パネル４４から録画したいテレビ番組の放送時間帯、放送チャネルなどの属性情報入力する。そして、操作パネル４４の録画予約スイッチ４４ｂを押すと、この属性情報は、携帯端末１２のメモリ４６に記憶されるとともに、録画サーバ１６に送信される。録画サーバ１６はこの属性情報を受信して、メモリ９６に記憶する。
【００４３】
次に、携帯端末１２はテレビ番組の放送開始時刻の１分前になると、チューナ５２の電源をオンにする。そして、放送開始時刻になると、携帯端末１２はメモリカード６２にテレビ番組を録画する。同時に、携帯端末１２は録画サーバ１６に対して、携帯端末１２とキャリアとの通信信号を利用してテレビ放送の受信状態を示す受信状態情報を送信する。
【００４４】
録画サーバ１６が受信した受信状態情報が“良好”または“普通”のときは、録画サーバ１６はテレビ番組の録画はしない。その後、１分ごとに、携帯端末１２は録画サーバ１６に対して、受信状態情報を送信する。録画サーバ１６は、受信した受信状態情報によって携帯端末１２が録画している映像の状態を判断する。図４では、携帯端末１２が発信する受信状態情報のうち、放送開始から２分後の信号までは携帯端末１２の受信状態が“良好”または“普通”の信号であり、録画サーバ１６もこの受信状態情報を受信している。このため、録画サーバ１６は代理録画を行なう必要はない。
【００４５】
しかし、放送開始から３分後の受信状態情報は、携帯端末１２の受信状態が“不良”であることを示している。したがって、この信号を受信した録画サーバ１６は、携帯端末１２がテレビ放送の受信状態が悪い地域に移動したため、携帯端末１２に録画されているテレビ番組の録画状態が悪いと判断する。このため、録画サーバ１６は、メモリ９６に記憶されている属性情報を呼び出して、この判断をしたときから代理録画を開始し、放送終了時刻まで継続する。
【００４６】
なお、放送開始から４分後の受信状態情報は、携帯端末１２の受信状態が“不良”であるだけではなく、録画サーバ１６はこの信号を受信していない。このように、録画サーバ１６が受信した受信状態情報が“不良”の場合だけでなく、録画サーバ１６が受信状態情報を受信できない場合も、録画サーバ１６は、携帯端末１２がテレビ放送を受信できない地域に移動したため、テレビ番組を録画できない状態であると判断する。そして、録画サーバ１６は同様にこの判断をしたときから代理録画を開始し、放送終了時刻まで継続する。
【００４７】
このとき、携帯端末１２がテレビ番組を良好な状態で録画できなくなってから、録画サーバ１６が代理録画を開始するまでの数十秒間はどちらにも録画されていない空白時間となる。この空白時間は、携帯端末から１分間隔で送信される受信状態情報を、さらに短い時間間隔で送信すれば、より短くすることができる。
【００４８】
なお、録画サーバ１６は代理録画を終了すると、代理録画を終了したことを携帯端末１２にメールで通知する。そして、携帯端末１２から録画データの送信要求があったときには、録画サーバ１６は録画データをメールに添付して携帯端末１２に送信する。
【００４９】
次に、図５を参照して、携帯端末１２のＣＰＵ４０の動作を説明する。まず、ステップＳ１で、移動モードになるまで待つ。移動モードスイッチ４４ａが押されると移動モードになり、ステップＳ３で、移動モード信号を録画サーバ１６に送信する。
【００５０】
次に、ステップＳ５で、属性情報が入力されるまで待つ。操作パネル４４から属性情報が入力されると、録画予約スイッチ４４ｂが押される。録画予約スイッチ４４ｂが押されると、ステップＳ７で、ＣＰＵ４０は属性情報をメモリ４６に保存するとともに、属性情報を含むメールを作成して、録画サーバ１６に送信する。
【００５１】
ステップＳ９で、テレビ番組の放送開始時刻の１分前になるまで待つ。放送開始時刻の１分前になると、ステップＳ１１で、チューナ５２の電源をオンにして、さらにステップＳ１３で、放送開始時刻になるまで待つ。
【００５２】
放送開始時刻になると、ステップＳ１５で、ＣＰＵ４０はチューナ５２が受信しているテレビ放送のチャネルの受信状態を調べる。そして、ステップＳ１７で、調べた受信状態情報を携帯端末１２とキャリアとの定期的な通信信号に埋め込んで録画サーバ１６に送信する。
【００５３】
次に、ステップＳ１９で、携帯端末１２がテレビ番組を良好に録画できるかどうかを判断するため、テレビ放送の受信状態が“不良”かどうかを判断する。その結果、受信状態が“不良”ではない場合、すなわち“良好”または“普通”の場合は、携帯端末１２はテレビ番組を良好に録画できると判断して、ステップＳ２１で、テレビ番組のメモリカード６２への録画を開始する。
【００５４】
ステップＳ２３で、さらに１分経過するまで待つ。１分経過すると、ステップＳ２５で、再びＣＰＵ４０はチューナ５２が受信しているチャネルの受信状態を調べる。そして、ステップＳ２７で、テレビ放送の受信状態を示す受信状態情報を録画サーバ１６に送信する。
【００５５】
次に、ステップＳ２９で、時計４２の示す時刻がメモリ４６に保存されているテレビ番組の放送終了時刻になったかどうかを判断する。その結果、放送終了時刻になった場合には、ステップＳ３１でテレビ番組の録画を終了し、さらにステップＳ３５でチューナ５２の電源をオフにする。また、放送終了時刻になっていない場合には、ステップＳ２３に戻る。
【００５６】
一方、ステップＳ１９で、ＣＰＵがテレビ放送の受信状態が悪いため、テレビ番組を良好な状態でメモリカード６２に録画できない場合と判断した場合は、ステップＳ３７で放送終了時刻になるまで待ち、放送終了時刻になると、ステップＳ３５で、チューナ５２の電源をオフにする。
【００５７】
次に、図６を参照して、録画サーバ１６のＣＰＵ９２の動作を説明する。まず、ステップＳ４１で、携帯端末１２からの移動モード信号を受信するまで待つ。そして、移動モード信号を受信すると、録画サーバ１６を移動モードに切り換える。次に、ステップＳ４３で、携帯端末１２から属性情報を受信するまで待つ。そして、属性情報を受信すると、ステップＳ４５で、受信した属性情報をメモリ９６に保存する。
【００５８】
ステップＳ４７で、テレビ番組の放送開始時刻になるまで待ち、放送開始時刻になると、ステップＳ４９で、ＣＰＵ９２は携帯端末１２から受信状態情報を受信したかどうかを判断する。受信状態情報を受信していない場合には、ステップＳ５１で、さらに１０秒経過するまで待ち、受信状態情報を受信したかどうかを判断する。ここで、１０秒経過するまで待つのは、携帯端末１２が受信状態情報を送信してから録画サーバ１６が受信して確認するまでのタイムラグを考慮するためである。
【００５９】
１０秒経過しても、受信状態情報を受信していないと判断した場合には、ステップＳ５３で、ＣＰＵ９２はＨＤＤ９８を介してハードディスク１００にテレビ番組を代理録画するように命じる。そして、ステップＳ５５で、時計９４からの時刻情報とメモリ９６に保存されているテレビ番組の放送終了時刻とから、放送終了時刻になるのを待ち、放送終了時刻になると、ステップＳ５７で、テレビ番組の代理録画を終了する。
【００６０】
一方、ステップＳ４９で、携帯端末１２から受信状態情報を受信した場合には、ステップＳ５９で、受信状態情報から携帯端末１２の受信状態が“不良”かどうかを判断する。その結果、受信状態が“不良”の場合は、ステップＳ５３で、ＨＤＤ９８を介してハードディスク１００へのテレビ番組の代理録画を開始する。
【００６１】
また、ステップＳ５９で、受信状態が“不良”ではない、すなわち“良好”または“普通”と判断した場合には、ステップＳ６１で１分経過するまで待つ。そして、ステップＳ６３で、放送終了時刻かどうかを判断し、放送終了時刻になっている場合には、ステップＳ５７でテレビ番組の代理録画を終了する。また、放送終了時刻になっていない場合には、ステップＳ４９に戻る。
【００６２】
以上説明したように、テレビ放送システムによって放送されたテレビ番組は、放送番組録画回路１８によって録画される。また、移動通信システムとの間の通信は移動通信回路２０によって行われる。所望のテレビ番組を録画している時間帯に、携帯端末１２はテレビ放送の受信状態の受信状態に応じて生成される受信状態情報を、携帯端末１２とキャリアとの間で周期的に行なわれている通信信号に埋め込んで、録画サーバ１６に対し周期的に送信する。録画サーバ１６は、この受信状態情報を受信できない、または携帯端末１２の受信状態が“不良”の場合には、その時点でテレビ番組の録画を開始する。この場合、録画サーバ１６が受信状態情報を正当に受信できなくなった時点から、携帯端末１２は録画サーバ１６にテレビ番組の録画を開始させるので、所望のテレビ番組のうち携帯端末１２が良好に記録できなかった部分のみを記録させることができる。
【００６３】
携帯端末１２は、所望のテレビ番組の録画を開始する前に、録画予約スイッチ４４ｂを押して、属性情報を録画サーバ１６に送信する。録画サーバ１６は、テレビ番組の属性情報によってテレビ番組の録画時間帯を認識する。この場合、録画サーバ１６は、この属性情報と携帯端末１２からの受信状態信号とに基づいてテレビ番組の録画を開始する。
【００６４】
移動モードスイッチ４４ａが押されると、携帯端末１２は移動モードに設定される。そして、携帯端末１２はテレビ番組の録画時間帯になると、テレビ放送の受信状態を示す受信状態情報を、携帯端末１２とキャリアとの間で周期的に行なわれている通信信号に埋め込んで録画サーバ１６に送信する。
【００６５】
携帯端末１２は、ＧＰＳによって現在位置を検出し、移動中であるかどうかを判別する。そして、携帯端末１２が移動中の場合は、テレビ番組の録画時間帯になると、テレビ放送の受信状態を示す受信状態情報を、携帯端末１２とキャリアとの間で周期的に行なわれている通信信号に埋め込んで録画サーバ１６に送信する。この場合、携帯端末１２が移動中であるかどうかを自動的に判別して、所望のテレビ番組を録画している時間帯に、携帯端末１２は受信状態情報を録画サーバ１６に周期的に送信することができる。
【００６６】
なお、携帯端末１２を移動モードに設定するとき、移動モードスイッチ４４ａを押して移動モードにした。しかし、携帯端末１２の移動モードの設定はこれに限らず、携帯端末１２の内部にＧＰＳを設け、ＣＰＵ４０は、ＧＰＳからの位置情報に基づいて携帯端末１２が移動していることを検知し、移動モードに設定してもよい。また、携帯端末１２がＰＨＳであるときは、ＰＨＳと基地局との定期的な通信に基づいて、ＣＰＵ４０はＰＨＳが移動していることを検知し、移動モードに設定してもよい。
【００６７】
また、この実施例では、録画サーバ１６はキャリア側に設置されているとして説明したが、キャリアを介してインターネットに接続されていてもよい。ただし、携帯端末１２から送信された受信状態情報は、キャリアでメールに添付されて録画サーバ１６に送信される。
【図面の簡単な説明】
【図１】この発明の一実施例を示すブロック図である。
【図２】図１実施例の携帯端末１２を示すブロック図である。
【図３】図１実施例の録画サーバ１６を示す図解図である。
【図４】図１実施例の動作の一部を示す図解図である。
【図５】図２実施例の携帯端末１２の動作の一部を示すフロー図である。
【図６】図３実施例の録画サーバ１６の動作の一部を示すフロー図である。
【符号の説明】
１２…携帯端末
１６…録画サーバ
１８…放送番組録画回路
２０…移動通信回路
４０…ＣＰＵ
４４ａ…移動モードスイッチ
４４ｂ…録画予約スイッチ
【図１】
2004289372.tif 000003
【図２】
2004289372.tif 000004
【図３】
2004289372.tif 000005
【図４】
2004289372.tif 000006
【図５】
2004289372.tif 000007
【図６】
2004289372.tif 000008